(57)【要約】【課題】表示装置全体の大きさに対して従来より大きな表示サイズを備えた表示装置を提供する。それと同時に、装飾表示部についても従来より大きな表示サイズを備え、優れた装飾表示効果を備えた表示装置を提供する【解決手段】表示装置の本体ケース開口部に、情報表示を行う主表示部と装飾発光を行う副表示部とを収容する。本体ケースの開口部を透光性のカバーで覆うと共に、カバーの内側または外側に副表示部からの光を拡散する拡散カバーを設ける。そして表示装置の表示画面を正面から見たとき、面全体をカバー、光拡散カバーによって覆う。【選択図】図１
2005266184.tif 000002
【特許請求の範囲】
【請求項１】
ＬＥＤ等の発光体を点滅することで文字、絵記号等を発光表示する表示装置において、
プリント基板上に複数の発光体を所定の配置形状で配列し、各発光体を選択的に点滅可能にした表示パネルと、
該表示パネルを収容すると共に、表示パネル上に配列された複数の発光体の配列面に対応した開口部を備える本体ケースと、
該本体ケースの開口部を覆うと共に、本体ケースの外側よりケース内部の発光体を視認可能にする透光性のカバーとを備え、
本体ケースに収めた表示パネルの発光体配列面を前記カバーを介して正面より見たときに、本体ケースの周縁を含む面全体がカバーで覆われるようにしたことを特徴とする表示装置。
【請求項２】
請求項１記載の表示装置において、前記本体ケースに設けられた前記開口部内側領域の任意の位置に発光体を配置可能にし、開口部を覆う前記カバーの面全体を用いて発光表示を行うことを特徴とする表示装置。
【請求項３】
ＬＥＤ等の発光体を点滅することで文字、絵記号等を発光表示する表示装置において、
プリント基板上に複数の発光体をマトリックス状に配列し、各発光体を選択的に点滅して文字、絵記号等からなる伝達情報を表示する主表示部と、
該主表示部の周囲または近傍に設けられ、プリント基板上に所定形状に配列した複数の発光体によって装飾発光表示を行う副表示部と、
前記主表示部および副表示部を収容すると共に、これら両表示部に配列された複数の発光体の配列面に対応した開口部を備える本体ケースと、
該本体ケースの開口部を覆うと共に、本体ケースの外側よりケース内部の発光体を視認可能にする透光性のカバーと、
該カバーで覆われた内側または外側に設けられ前記副表示部の発光体を覆うと共に、副表示部の発光体から照射される光を拡散する光拡散カバーとを備え、
本体ケースに収めた主表示部および副表示部の発光体配列面を正面より見たときに、本体ケースの周縁を含む面全体が前記カバーおよび前記光拡散カバーによって覆われることを特徴とする表示装置。
【請求項４】
請求項３記載の表示装置において、前記カバーに対して前記光拡散カバーを着脱可能に固定したことを特徴とする表示装置。
【請求項５】
請求項３または４何れか記載の表示装置において、前記本体ケースに設けられた前記開口部内側領域の任意の位置に発光体を配置可能にし、開口部を覆う前記カバーおよび前記光拡散カバーの面全体を用いて発光表示を行うことを特徴とする表示装置。
【請求項６】
請求項１乃至５何れか記載の表示装置において、前記開口部を覆う前記カバーあるいは光拡散カバーは、本体ケース内の発光体配列面に対して平行な面から垂直な面にかけて連続的に覆うことを特徴とする表示装置。
【発明の詳細な説明】
【技術分野】
【０００１】
本発明は、ＬＥＤ（発光ダイオード）等の発光体をプリント基板上に複数配し、各発光体を選択的に発光させることで文字、図形、記号、模様等を表示する装置に関するもので、特に、専ら装飾発光を行うＬＥＤを備え、情報表示機能とは別に装飾発光機能を備えた装置に関する。
【背景技術】
【０００２】
従来、ＬＥＤをプリント基板上に複数配置し、選択的に点滅駆動することで文字・画像等を発光表示する電光表示装置が知られている。それら装置の多くは、店先や往来といった人通りのある場所に設置され、営業案内や集客のためのキャッチフレーズを発光表示するのに利用されており、注目効果を高めるために文字等を表示する主表示部の周囲に各種点滅で装飾発光を行う副表示部を設け、通行人の注意を引くようにした装置が主流になっている。
【０００３】
例えば、下記特許文献１では、データ表示部と装飾表示部とを備えた表示部の前面に透光性素材からなる表面板を配し、装飾表示部の前面に配される表面板に回折格子板を用いた表示器が開示されており、装飾表示部が光源の周りに回折像が幾重にも点在するような発光表示を行うことで注意喚起力を高めている。
【０００４】
また、特許文献２では、所定間隔で所定形状に配したＬＥＤを光拡散板で覆った表示装置が開示されており、点発光するＬＥＤからの光を光拡散板によってＬＥＤが並べられた方向へ拡散させ、光を直線状または曲線状として表示させている。
【特許文献１】特開２００３−２５５８６６号
【特許文献２】特開２００３−２８０５３４号
【発明の開示】
【発明が解決しようとする課題】
【０００５】
特許文献１、特許文献２を始めとするこれまでの表示装置では、装飾表示部の光らせ方に工夫を凝らすことによって注意喚起力を高めるようにしていた。従来の装置は何れも、情報を表示するためのＬＥＤマトリックスの周囲に隣接させて装飾表示部を設けており、さらに装飾表示部の周囲を金属の枠で取り囲む構造であった。表示装置を正面より見ると、所定の厚みを持った金属枠（多くはアルミ材）で囲まれた空間に、金属枠の内側から所定距離を置いてＬＥＤマトリックスが配置され、このＬＥＤマトリックスと金属枠との間のスペースに装飾表示部が設けられていた。このため、表示装置の外形寸法に対してＬＥＤマトリックスの寸法を一回り小さなものにせざるを得ず、表示装置全体の大きさが有効に活用されずにいた。表示装置の本来の用途である情報表示という点において、大きな画面の方が視認性や迫力が優れていることはいうまでもなく、周囲にある金属枠の内側ぎりぎりまでＬＥＤマトリックスのサイズを設定したいところであるが、装飾表示部の分だけサイズの制約を受けるのである。
【０００６】
本発明は上記のような問題点を解決することを課題としており、表示装置全体の大きさに対して従来より大きな表示サイズを備えた表示装置を提供することを目的としている。また同時に、装飾表示部についても従来より大きな表示サイズを備え、優れた装飾表示効果を備えた表示装置を提供することを目的としている。
【課題を解決するための手段】
【０００７】
本発明は、上記課題を解決するために、請求項１記載の表示装置では、ＬＥＤ等の発光体を点滅することで文字、絵記号等を発光表示する表示装置において、プリント基板上に複数の発光体を所定の配置形状で配列し、各発光体を選択的に点滅可能にした表示パネルと、該表示パネルを収容すると共に、表示パネル上に配列された複数の発光体の配列面に対応した開口部を備える本体ケースと、該本体ケースの開口部を覆うと共に、本体ケースの外側よりケース内部の発光体を視認可能にする透光性のカバーとを備え、本体ケースに収めた表示パネルの発光体配列面を前記カバーを介して正面より見たときに、本体ケースの周縁を含む面全体がカバーで覆われるようにしたことを特徴としている。
【０００８】
また、請求項２に記載の表示装置は、請求項１に記載の表示装置において、本体ケースに設けられた開口部内側領域の任意の位置に発光体を配置可能にし、開口部を覆うカバーの面全体を用いて発光表示を行うことを特徴としている。
【０００９】
また、請求項３に記載の表示装置は、ＬＥＤ等の発光体を点滅することで文字、絵記号等を発光表示する表示装置において、プリント基板上に複数の発光体をマトリックス状に配列し、各発光体を選択的に点滅して文字、絵記号等からなる伝達情報を表示する主表示部と、該主表示部の周囲または近傍に設けられ、プリント基板上に所定形状に配列した複数の発光体によって装飾発光表示を行う副表示部と、前記主表示部および副表示部を収容すると共に、これら両表示部に配列された複数の発光体の配列面に対応した開口部を備える本体ケースと、該本体ケースの開口部を覆うと共に、本体ケースの外側よりケース内部の発光体を視認可能にする透光性のカバーと、該カバーで覆われた内側または外側に設けられ前記副表示部の発光体を覆うと共に、副表示部の発光体から照射される光を拡散する光拡散カバーとを備え、本体ケースに収めた主表示部および副表示部の発光体配列面を正面より見たときに、本体ケースの周縁を含む面全体が前記カバーおよび前記光拡散カバーによって覆われることを特徴としている。
【００１０】
また、請求項４に記載の表示装置は、請求項３に記載の表示装置において、カバーに対して光拡散カバーを着脱可能に固定したことを特徴としている。
【００１１】
また、請求項５に記載の表示装置は、請求項３または４の何れかに記載の表示装置において、本体ケースに設けられた開口部内側領域の任意の位置に発光体を配置可能にし、開口部を覆う前記カバーおよび光拡散カバーの面全体を用いて発光表示を行うことを特徴としている。
【００１２】
また、請求項６に記載の表示装置は、請求項１から５の何れかに記載の表示装置において、開口部を覆うカバーあるいは光拡散カバーは、本体ケース内の発光体配列面に対して平行な面から垂直な面にかけて連続的に覆うことを特徴としている。
【発明の効果】
【００１３】
請求項１記載の発明によれば、ＬＥＤを配列した表示パネルを表示装置の本体ケースに収容し、発光表示する際に表示パネルからの光を本体ケースの外側へ放射するための開口部を本体ケースに設け、本体ケースの開口部のある面全体を透光性のカバーで覆うようにした。したがって開口部の寸法を本体ケースの周縁近くまでできる限り広げ、その周縁部を含む面全体を透光性カバーで覆って発光表示を行うことができ、従来は金属枠で囲んでいた部分まで発光表示画面として使用し、本体ケースの大きさを表示に最大限有効活用することができる。
【００１４】
請求項２記載の発明によれば、表示装置本体ケースの周縁近くまで広げた開口部の任意の位置にＬＥＤを配置可能にしたことにより、本体ケースの周縁近くにＬＥＤを配置することができ、従来の装置では表示に寄与しない金属枠に相当する部分まで表示画面として活用することができる。
【００１５】
請求項３記載の発明によれば、ＬＥＤをマトリックス状に配列した主表示部と、この主表示部の周囲等に設けられて装飾発光を行う副表示部とを本体ケース内に収め、それら両表示部のＬＥＤ配列面に対応した開口部を覆いながら、その開口部のある本体ケースの面全体を透光性のカバーで覆い、さらに、副表示部のＬＥＤを光拡散カバーで覆うようにした。したがって、主表示部の周りに副表示部を設けると共に副表示部のＬＥＤを本体ケースの周縁近くに配置することにより、従来は本体ケース周囲の金属枠に相当する位置で装飾表示を行い、また、従来装置では装飾表示部を含む表示画面（開口部）に相当する部分を全て情報表示画面として使用することができる。
【００１６】
請求項４記載の発明によれば、本体ケースの開口部全体を覆う透光性カバーに対して光拡散カバーを着脱可能に固定した。したがって、光拡散効果や外観デザイン、色等が異なる光拡散カバーを複数種類用意し、好みに応じて適宜取り替えることができる。
【００１７】
請求項５記載の発明によれば、表示装置本体ケースの周縁近くまで広げた開口部の任意の位置に主表示部または副表示部のＬＥＤを配置可能にしたことにより、本体ケースの周縁近くまで副表示部のＬＥＤを配置することができ、本体ケースの周縁部分を装飾表示の為の画面として有効活用することができる。
【００１８】
請求項６記載の表示装置によれば、カバー、光拡散カバーによって本体ケースの開口部のある面を覆うにあたり、表示パネル上のＬＥＤ配列面に対して平行な面から垂直な面にかけて連続的に覆うようにした。したがって、ＬＥＤ配列面に正対する面から、表示装置の上面、両側面、下面まで回り込んだ形状の表示画面を形作ることができ、これまでにはなかった表示装置の枠まで回り込んで発光するという目新しい３次元形状の表示画面を構成することができる。
【発明を実施するための最良の形態】
【００１９】
以下、本発明による好適な実施形態を図面を参照しながら説明する。
【実施例１】
【００２０】
図１は第１実施例を示す外観説明図であり、図１（ａ）に表示装置の外観を示し、図１（ｂ）に表示装置を構成する部材の内の本体ケースを示す。１は本体ケースであり、表示装置本体の上下左右４辺を方形状に囲み、前後方向を開口部として開放している。２は透光性のカバーであり、本体ケース１の開口部形状に対応した方形状の透明窓を備え、開口部全体を覆いながら本体ケース１に取り付けられている。３は光拡散カバーであり、上記カバー２の透明窓周囲を本体ケース１の外側面に沿って枠状に取り囲み、カバー２と共に本体ケース１に取り付けられている。この拡散カバー３は、カバー２と同じく透光性の材料からなるもので、本体ケース内側から照射されるＬＥＤの光を拡散させるようなレンズ構造やプリズム構造等の表面加工が施されている。カバー２と、カバー２の透明窓周囲を取り囲む拡散カバー３とで表示装置としての表示画面を構成する。本体ケース１内にはプリント基板上に複数のＬＥＤを配列した表示パネルが設けられており、表示パネル上に配したＬＥＤが本体ケース１の開口部からケース外側へ臨む位置関係でケース内部に固定されている。カバー２の透明窓裏側にあたる位置には透明窓の形状に合わせてＬＥＤがドットマトリックス状に配列され、拡散カバー３の裏側にあたる位置には、拡散カバーの枠形状に沿ってドットマトリックスの周囲を複数のＬＥＤが所定間隔で配列されている。なお、図１では、カバー２、拡散カバー３とも本体ケース１の片面のみに符号を付しているが、図１には現れていない面にも同じ構成でカバー２、拡散カバー３が設けられており、表示装置全体として両面方向への表示を可能にしている。
【００２１】
次に、表示装置の内部構造について図２を基に説明する。図２は図１のＡ−Ａ断面を示している。４は断面が略コ字状をなす固定フレームであり、コ字形の開放側を上下から向かい合わせた状態で本体ケース１の内側に固定されている。５は表示器全体の動作を制御する制御部で、固定フレーム４のコ字状内側に形成されたスペースに収容されてフレームに固定されている。６はＬＥＤパネルであり、プリント配線基板上にＬＥＤをドットマトリックス状に配列した主表示部６ａと、この主表示部の周囲を取り囲むようにＬＥＤを所定間隔で配置した副表示部６ｂとを構成している。図に示すように、主表示部６ａと副表示部６ｂを構成するＬＥＤの位置を本体ケース１の開口部に合わせ、ＬＥＤパネル６は固定フレーム４から立設されたスタッドボルトに駆動基板７を介装しながら固定される。また、制御部５、駆動基板７、ＬＥＤパネル６の順番で電気的にも接続されており、制御部５に予め登録されたプログラムに従って表示制御信号が駆動基板７に出力され、駆動基板７から主表示部６ａと副表示部６ｂに対してそれぞれＬＥＤ点滅信号が出力される。
【００２２】
開口部を覆うカバー２は、主表示部６ａと副表示部６ｂとを区分けするような凹凸形状を備えている。本体ケース周縁付近に位置する副表示部のＬＥＤをトンネル状に覆うよう本体ケース周縁に沿って一周凸状に成形し、そのトンネル状凸部で囲まれた内側領域には、主表示部のＬＥＤ頭頂から高さ方向に所定距離をおいて平面的に覆うよう台地状に一段立ち上がった透明窓を成形している。このカバー２は、例えばアクリル等の透明材からなるもので、上記凹凸形状が連続して形成された一体構成のカバーであり、トンネル状凸部のさらに外側に形成されたリブ部分を、固定フレーム４と本体ケース１周縁で挟み込むことにより固定している。
【００２３】
拡散カバー３は、カバー２に成形されたトンネル状凸部の表面側に、カバー２と拡散カバー３との間に空間を形成しながら重ね合わせて取り付けられる。リブが形成された一方の縁を、固定フレーム４と本体ケース１周縁とで挟み込んで固定し、もう一方の縁は、カバー２に形成されたトンネル状凸部と台地状凸部分の境に形作られた凹部分に突き当てた状態で保持している。カバー２の凹形状部分を利用し、さらに防水シール部材を挟みながら拡散カバーの縁を突き当てることにより、拡散カバー３の固定保持をより確実に行うことができる。この拡散カバー３も上記カバー２同様に透明材からなり、副表示部６ｂのＬＥＤが発した光を拡散させるよう、内側表面あるいは外側表面にレンズ加工やプリズム加工といった、光源からの光を多方向へ屈折させる加工が施されている。図では内側表面にノコギリ刃状の溝を複数形成しており、このような光拡散加工を施すことにより、副表示部６ｂで装飾発光表示を行った際に、プリント基板面に対して略垂直方向へ発せられたＬＥＤの光がノコギリ刃状の溝で屈折し、本来は狭い視認角度で点状に視認されるＬＥＤの光が拡散カバー３の外側表面の広い範囲に広がって視認される。その結果、表示装置の枠全体が発光して装飾発光を行っているかのような視認効果を得ることができる。なお、拡散カバー３は、化粧ネジ８を緩めて本体ケース１を固定フレーム４から浮かすことによって取り外すことが可能であり、別の拡散カバーに交換することも可能である。したがって、光拡散加工の種類や拡散カバー全体の形状・デザインを変えたり、透光性を保ちつつ着色するなどした別種類のカバーを複数用意し、好みに応じて適宜取り替えるといった使い方も可能である。
【実施例２】
【００２４】
次に本発明の第２実施例について図３を基に説明する。なお、第１実施例と同様の構成については同一の符号を付し、その説明は省略する。
第２実施例の表示装置は、本体ケース１を拡散カバー３で覆った構成であり、図３はその断面を示している。裏表両面の副表示部６ｂを両方覆う断面略コ字状の拡散カバー３を本体ケース１に被せ、化粧プレート９と化粧ネジ８を用いて拡散カバーを外側面から本体ケース１に固定する。拡散カバーの両端にはカバー２の端部を嵌め込む受け部が設けられており、カバー２を主表示部６ａの上方に保持して表示画面の透明窓を構成する。拡散カバー３には第１実施例と同様に光拡散加工が施されており、副表示部６ｂの光が拡散カバー３外側の広い範囲から視認できるようにし、表示装置の上下両側面を覆っている枠全体が発光して装飾発光を行っているかのような視認効果を得ることができる。
【実施例３】
【００２５】
次に本発明の第３実施例について図４を基に説明する。なお、上記第１、第２実施例と同様の構成については同一の符号を付し、その説明は省略する。
第３実施例の表示装置は、カバー２で覆われた内側の空間に拡散カバー３を配置した構成であり、図４はその断面を示している。主表示部６ａおよび副表示部６ｂを一枚の部材からなるカバー２で覆い、副表示部６ｂを覆う面を凸状に膨出させ、この凸状の面から一段下げて主表示部６ａを覆うフラット面を形成している。カバー２の凸状に膨出させた内側には、副表示部６ｂのＬＥＤを略トンネル状に覆う拡散カバー３が設けられており、これら２種類のカバーは、そのリブ部分を、固定フレーム４と本体ケース１周縁で挟み込むことにより固定している。この実施例では、表示画面を正面から見たときに本体ケース１周縁が目立たないような薄い形状にしており、また、副表示部６ｂのＬＥＤ配列に沿ってカバー２を凸形状にしていることにより、カバー２の凸部分が表示装置全体の中で上下両側面までまわり込んで形成された枠の印象を与える。そして、副表示部６ｂを表示駆動することにより、副表示部の光が拡散カバー３で拡散されて枠全体が装飾発光しているかのような視認効果を得ることができる。
【図面の簡単な説明】
【００２６】
【図１】本発明の第１実施例に係る表示装置を示す外観説明図である。
【図２】第１実施例に係る表示装置の内部構造を示す断面説明図である。
【図３】第２実施例に係る表示装置の内部構造を示す断面説明図である。
【図４】第３実施例に係る表示装置の内部構造を示す断面説明図である。
【符号の説明】
【００２７】
１    本体ケース
２    カバー
３    拡散カバー
４    固定フレーム
５    制御部
６    ＬＥＤパネル
６ａ  主表示部
６ｂ  副表示部
７    駆動基板
８    化粧ネジ
９    化粧プレート
【図１】
2005266184.tif 000003
【図２】
2005266184.tif 000004
【図３】
2005266184.tif 000005
【図４】
2005266184.tif 000006